(57)【要約】  実施形態に係るネットワーク装置は、端末装置の機種識別子に関する情報と、所定のネットワークオペレータによる使用認証を受けた端末装置であることを示す使用認証情報とを関連付けた装置情報を記憶する記憶部と、前記所定のネットワークオペレータが管理するネットワークにアクセスしたユーザ端末の機種識別子に関する情報を他のネットワーク装置から受信する受信部と、前記ユーザ端末の機種識別子に関する情報と前記装置情報とに基づいて、前記ユーザ端末に通信サービスを提供するか否かを判断するための情報を前記他のネットワーク装置に通知する制御部と、を備える。
2016136648.tif 000002
【特許請求の範囲】
【請求項１】
移動通信システムにおけるネットワーク装置であって、
端末装置の機種識別子に関する情報と、所定のネットワークオペレータによる使用認証を受けた端末装置であることを示す使用認証情報とを関連付けた装置情報を記憶する記憶部と、
前記所定のネットワークオペレータが管理するネットワークにアクセスしたユーザ端末の機種識別子に関する情報を他のネットワーク装置から受信する受信部と、
前記ユーザ端末の機種識別子に関する情報と前記装置情報とに基づいて、前記ユーザ端末に通信サービスを提供するか否かを判断するための情報を前記他のネットワーク装置に通知する制御部と、
を備えるネットワーク装置。
【請求項２】
前記機種識別子に関する情報は、前記機種識別子により一部が構成される識別子であり且つ前記端末装置を識別するための装置識別子であることを特徴とする請求項１に記載のネットワーク装置。
【請求項３】
前記記憶部は、前記装置識別子と、所定のアクセス技術を用いた送信に関して端末装置が法令で認証された国に関する認証関連情報と、を関連付けて記憶し、
前記制御部は、前記他のネットワーク装置から受信した前記装置識別子に対応する前記認証関連情報を前記判断するための情報に含めることを特徴とする請求項２に記載のネットワーク装置。
【請求項４】
前記制御部は、前記他のネットワーク装置から受信した前記機種識別子に関する情報に対応する前記使用認証情報を、前記判断するための情報として前記他のネットワーク装置に通知することを特徴とする請求項１に記載のネットワーク装置。
【請求項５】
前記受信部は、前記装置識別子の状態を照合するための照合要求の受信によって、前記装置識別子を受信し、
前記制御部は、前記装置識別子を前記装置情報に基づいて照合し、照合結果を前記判断するための情報として前記他のネットワーク装置に通知することを特徴とする請求項２に記載のネットワーク装置。
【請求項６】
前記記憶部は、前記装置識別子と、不正な端末装置であることを示す不正情報とを関連付けてさらに記憶し、
前記制御部は、前記装置識別子に対応する端末装置が前記所定のネットワークオペレータによる使用認証を受けた端末装置であっても、前記不正な端末装置である場合には、前記ユーザ端末に前記通信サービスを提供させないための前記照合結果を前記他のネットワーク装置に通知することを特徴とする請求項５に記載のネットワーク装置。
【請求項７】
移動通信システムにおけるネットワーク装置であって、
所定のネットワークオペレータが管理するネットワークにアクセスしたユーザ端末の機種識別子に関する情報を他のネットワーク装置から受信する受信部と、
端末装置の機種識別子に関する情報と、前記所定のネットワークオペレータによる使用認証を受けた端末装置であることを示す使用認証情報とを関連付けた装置情報を記憶する記憶装置から、前記ユーザ端末の機種識別子に対応する前記使用認証情報を取得する制御部と、
を備え、
前記制御部は、前記記憶装置から取得した前記使用認証情報と、前記ユーザ端末の機種識別子とに基づいて、前記ユーザ端末に通信サービスを提供するか否かを判断するための情報を前記他のネットワーク装置に通知することを特徴とするネットワーク装置。
【請求項８】
前記機種識別子に関する情報は、前記機種識別子により一部が構成される識別子であり且つ前記端末装置を識別するための装置識別子であることを特徴とする請求項７に記載のネットワーク装置。
【請求項９】
前記記憶装置は、前記装置識別子と、所定のアクセス技術を用いた送信に関して端末装置が法令で認証された国に関する認証関連情報と、を関連付けて記憶し、
前記制御部は、前記使用認証情報と共に、前記他のネットワーク装置から受信した前記装置識別子に対応する前記認証関連情報を取得し、
前記制御部は、前記認証関連情報を前記判断するための情報に含めることを特徴とする請求項８に記載のネットワーク装置。
【請求項１０】
前記制御部は、前記記憶装置から受信した前記使用認証情報を、前記判断するための情報として前記他のネットワーク装置に通知することを特徴とする請求項７に記載のネットワーク装置。
【請求項１１】
前記受信部は、前記装置識別子の状態を照合するための照合要求の受信によって、前記装置識別子を受信し、
前記制御部は、前記装置識別子を前記記憶装置から受信した前記使用認証情報に基づいて照合し、照合結果を前記判断するための情報として前記他のネットワーク装置に通知することを特徴とする請求項８に記載のネットワーク装置。
【請求項１２】
前記記憶装置は、前記装置識別子と、不正な端末装置であることを示す不正情報とを関連付けてさらに記憶し、
前記制御部は、前記装置識別子に対応する端末装置が前記所定のネットワークオペレータによる使用認証を受けた端末装置であっても、前記不正な端末装置である場合には、前記ユーザ端末に前記通信サービスを提供させないための前記照合結果を前記他のネットワーク装置に通知することを特徴とする請求項１１に記載のネットワーク装置。
【発明の詳細な説明】
【技術分野】
【０００１】
本発明は、移動通信システムにおけるネットワーク装置に関する。
【背景技術】
【０００２】
セルラ通信技術の標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）では、ユーザ端末のアタッチ処理が行われる際に、ＭＭＥ（Ｍｏｂｉｌｉｔｙ  Ｍａｎａｇｅｍｅｎｔ  Ｅｎｔｉｔｙ）が、正当な端末装置を識別する装置識別子を管理するＥＩＲ（Ｅｑｕｉｐｍｅｎｔ  Ｉｄｅｎｔｉｔｙ  Ｒｅｇｉｓｔｅｒ）に対して、所定の装置識別子の状態を照合するための照合要求を送信する（非特許文献１，２参照）。ＭＭＥは、ＥＩＲからの照合結果に基づいて、ユーザ端末が不正な端末装置（例えば、盗まれた端末装置）であると決定した場合、アタッチ拒否を当該ユーザ端末に通知できる。【０００３】
また、ネットワークオペレータ（以下、ＮＷオペレータ）の規約に反する端末装置に通信サービスが提供されないように、端末装置を取り扱うベンダー（端末メーカ）は、市場にて販売される前の端末装置に対して、使用認証テスト（キャリア認定テスト）を実行する。使用認証テストを合格した端末装置は、使用認証を受け、仕様を満たしていることが保証される。ＮＷオペレータは、使用認証を受けた端末装置の情報を管理する。
【先行技術文献】
【非特許文献】
【０００４】
【非特許文献１】３ＧＰＰ技術仕様書「ＴＳ  ２３．４０１  V１３．１．０」  ２０１４年１２月１７日
【非特許文献２】３ＧＰＰ技術仕様書「ＴＳ  ２９．２７２  V１３．０．０」  ２０１５年１月６日
【発明の概要】
【０００５】
第１の特徴に係るネットワーク装置は、移動通信システムにおけるネットワーク装置である。前記ネットワーク装置は、端末装置の機種識別子に関する情報と、所定のネットワークオペレータによる使用認証を受けた端末装置であることを示す使用認証情報とを関連付けた装置情報を記憶する記憶部と、前記所定のネットワークオペレータが管理するネットワークにアクセスしたユーザ端末の機種識別子に関する情報を他のネットワーク装置から受信する受信部と、前記ユーザ端末の機種識別子に関する情報と前記装置情報とに基づいて、前記ユーザ端末に通信サービスを提供するか否かを判断するための情報を前記他のネットワーク装置に通知する制御部と、を備える。
【０００６】
第２の特徴に係るネットワーク装置は、移動通信システムにおけるネットワーク装置である。前記ネットワーク装置は、所定のネットワークオペレータが管理するネットワークにアクセスしたユーザ端末の機種識別子に関する情報を他のネットワーク装置から受信する受信部と、端末装置の機種識別子に関する情報と、前記所定のネットワークオペレータによる使用認証を受けた端末装置であることを示す使用認証情報とを関連付けた装置情報を記憶する記憶装置から、前記ユーザ端末の機種識別子に対応する前記使用認証情報を取得する制御部と、を備える。前記制御部は、前記記憶装置から取得した前記使用認証情報と、前記ユーザ端末の機種識別子とに基づいて、前記ユーザ端末に通信サービスを提供するか否かを判断するための情報を前記他のネットワーク装置に通知する。
【図面の簡単な説明】
【０００７】
【図１】図１は、システム構成を示す図である。
【図２】図２は、ＵＥのブロック図である。
【図３】図３は、ｅＮＢのブロック図である。
【図４】図４は、ＡＰのブロック図である。
【図５】図５は、ＥＩＲのブロック図である。
【図６】図６は、ＤＢのブロック図である。
【図７】図７は、装置情報の一例を説明するための図である。
【図８】図８は、第１実施形態に係る動作を説明するためのシーケンス図である。
【図９】図９は、装置情報の一例を説明するための図である。
【図１０】図１０は、セルラ・ＷＬＡＮアグリゲーションの基本動作を示す図である。
【図１１】図１１は、実施形態の変更例に係る動作を説明するためのシーケンス図である。
【発明を実施するための形態】
【０００８】
［実施形態の概要］
近年、ＵＩＭ（Ｕｓｅｒ  Ｉｄｅｎｔｉｔｙ  Ｍｏｄｕｌｅ）の制限が解除されている端末装置（いわゆる、ＳＩＭフリー端末）が増加している。ＳＩＭフリー端末に装着するＵＩＭを交換することによって、当該ＳＩＭフリー端末を用いて異なるＮＷオペレータから通信サービスの提供を受けることが可能である。
【０００９】
ここで、所定のＮＷオペレータの契約情報が記憶されたＵＩＭが装着されたＳＩＭフリー端末が不正な端末装置でない場合、当該ＳＩＭフリー端末が所定のＮＷオペレータによる使用認証を受けていないにもかかわらず、所定のＮＷオペレータは、当該ＳＩＭフリー端末に対して通信サービスを提供する虞がある。
【００１０】
そこで、上記に説明した状態が起こる可能性を鑑みて、ＮＷオペレータによる使用認証を受けていない端末装置に対して通信サービスを制限可能なネットワーク装置を提供する。
【００１１】
第１及び第２実施形態に係るネットワーク装置（例えば、ＥＩＲ５００、ＤＢ８００）は、移動通信システムにおけるネットワーク装置である。前記ネットワーク装置は、端末装置の機種識別子に関する情報と、所定のネットワークオペレータによる使用認証を受けた端末装置であることを示す使用認証情報とを関連付けた装置情報を記憶する記憶部と、前記所定のネットワークオペレータが管理するネットワークにアクセスしたユーザ端末の機種識別子に関する情報を他のネットワーク装置から受信する受信部と、前記ユーザ端末の機種識別子に関する情報と前記装置情報とに基づいて、前記ユーザ端末に通信サービスを提供するか否かを判断するための情報を前記他のネットワーク装置に通知する制御部と、を備える。
【００１２】
第１及び第２実施形態において、前記機種識別子に関する情報は、前記機種識別子により一部が構成される識別子であり且つ前記端末装置を識別するための装置識別子である。
【００１３】
第１及び第２実施形態において、前記記憶部は、前記装置識別子と、所定のアクセス技術を用いた送信に関して端末装置が法令で認証された国に関する認証関連情報と、を関連付けて記憶する。前記制御部は、前記他のネットワーク装置から受信した前記装置識別子に対応する前記認証関連情報を前記判断するための情報に含める。
【００１４】
第１及び第２実施形態において、前記制御部は、前記他のネットワーク装置から受信した前記機種識別子に関する情報に対応する前記使用認証情報を、前記判断するための情報として前記他のネットワーク装置に通知する。
【００１５】
第１及び第２実施形態において、前記受信部は、前記装置識別子の状態を照合するための照合要求の受信によって、前記装置識別子を受信する。前記制御部は、前記装置識別子を前記装置情報に基づいて照合し、照合結果を前記判断するための情報として前記他のネットワーク装置に通知する。
【００１６】
第１及び第２実施形態において、前記記憶部は、前記装置識別子と、不正な端末装置であることを示す不正情報とを関連付けてさらに記憶する。前記装置識別子に対応する端末装置が前記所定のネットワークオペレータによる使用認証を受けた端末装置であっても、前記不正な端末装置である場合には、前記ユーザ端末に前記通信サービスを提供させないための前記照合結果を前記他のネットワーク装置に通知する。
【００１７】
第１実施形態に係るネットワーク装置（例えば、ＥＩＲ５００）は、移動通信システムにおけるネットワーク装置である。前記ネットワーク装置は、所定のネットワークオペレータが管理するネットワークにアクセスしたユーザ端末の機種識別子に関する情報を他のネットワーク装置から受信する受信部と、端末装置の機種識別子に関する情報と、前記所定のネットワークオペレータによる使用認証を受けた端末装置であることを示す使用認証情報とを関連付けた装置情報を記憶する記憶装置から、前記ユーザ端末の機種識別子に対応する前記使用認証情報を取得する制御部と、を備える。前記制御部は、前記記憶装置から取得した前記使用認証情報と、前記ユーザ端末の機種識別子とに基づいて、前記ユーザ端末に通信サービスを提供するか否かを判断するための情報を前記他のネットワーク装置に通知する。
【００１８】
第１実施形態において、前記機種識別子に関する情報は、前記機種識別子により一部が構成される識別子であり且つ前記端末装置を識別するための装置識別子である。
【００１９】
第１実施形態において、前記記憶装置は、前記装置識別子と、所定のアクセス技術を用いた送信に関して端末装置が法令で認証された国に関する認証関連情報と、を関連付けて記憶する。前記制御部は、前記使用認証情報と共に、前記他のネットワーク装置から受信した前記装置識別子に対応する前記認証関連情報を取得する。前記制御部は、前記認証関連情報を前記判断するための情報に含める。
【００２０】
第１実施形態において、前記制御部は、前記記憶装置から受信した前記使用認証情報を、前記判断するための情報として前記他のネットワーク装置に通知する。
【００２１】
第１実施形態において、前記受信部は、前記装置識別子の状態を照合するための照合要求の受信によって、前記装置識別子を受信する。前記制御部は、前記装置識別子を前記記憶装置から受信した前記使用認証情報に基づいて照合し、照合結果を前記判断するための情報として前記他のネットワーク装置に通知する。
【００２２】
第１実施形態において、前記記憶装置は、前記装置識別子と、不正な端末装置であることを示す不正情報とを関連付けてさらに記憶する。前記制御部は、前記装置識別子に対応する端末装置が前記所定のネットワークオペレータによる使用認証を受けた端末装置であっても、前記不正な端末装置である場合には、前記ユーザ端末に前記通信サービスを提供させないための前記照合結果を前記他のネットワーク装置に通知する。
【００２３】
［実施形態］
以下、図面を参照して、３ＧＰＰ規格に準拠して構成されるセルラ通信システムであるＬＴＥシステムと無線ＬＡＮ（ＷＬＡＮ）システムとが連携可能であるケースを例に挙げて説明する。
【００２４】
（システム構成）
図１は、実施形態に係るシステム構成を示す図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００２５】
Ｅ−ＵＴＲＡＮ１０は、セルラＲＡＮに相当する。ＥＰＣ２０は、コアネットワークに相当する。Ｅ−ＵＴＲＡＮ１０及びＥＰＣ２０は、ＬＴＥシステムのネットワークを構成する。
【００２６】
ＵＥ１００は、移動型の無線通信装置である。ＵＥ１００はユーザ端末に相当する。ＵＥ１００は、セルラ通信及びＷＬＡＮ通信の両通信方式をサポートする端末（デュアル端末）である。なお、ＵＥ１００は、セルラ通信のみをサポートする端末であってもよい。
【００２７】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルに在圏するＵＥ１００との無線通信を行う。「セル」は、無線通信エリアの最小単位を示す用語として使用される他に、ＵＥ１００との無線通信を行う機能（リソース）を示す用語としても使用される。ｅＮＢ２００は、無線リソース管理（ＲＲＭ）機能、ユーザデータのルーティング機能、モビリティ制御及びスケジューリングのための測定制御機能等を有する。
【００２８】
ｅＮＢ２００は、Ｘ２インターフェイスを介して相互に接続される。ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）４００と接続される。
【００２９】
ＥＰＣ２０は、複数のＭＭＥ／Ｓ−ＧＷ４００及び少なくとも１以上のＥＩＲ５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３０】
ＥＩＲ（Ｅｑｕｉｐｍｅｎｔ  Ｉｄｅｎｔｉｔｙ  Ｒｅｇｉｓｔｅｒ）５００は、ＵＥ１００（端末装置）を特定するための装置識別子（例えば、ＩＭＥＩ：Ｉｎｔｅｒｎａｔｉｏｎａｌ  Ｍｏｂｉｌｅ  ｓｔａｔｉｏｎ  Ｅｑｕｉｐｍｅｎｔ  Ｉｄｅｎｔｉｔｙ）を管理するネットワークノードである。ＥＩＲ５００は、装置情報を記憶するネットワークノードであるＤＢ６００にアクセス可能である。ＤＢ６００は、外部ネットワークに存在する記憶装置である。なお、ＤＢ６００は、ＥＰＣ２０に含まれていてもよい。
【００３１】
ＷＬＡＮ３０は、ＷＬＡＮアクセスポイント（以下「ＡＰ」という）３００を含む。ＡＰ３００は、例えばＬＴＥシステムのＮＷオペレータにより管理されるＡＰ（Ｏｐｅｒａｔｏｒ  ｃｏｎｔｒｏｌｌｅｄ  ＡＰ）である。
【００３２】
ＷＬＡＮ３０は、例えばＩＥＥＥ  ８０２．１１諸規格に準拠して構成される。ＡＰ３００は、セルラ周波数帯とは異なる周波数帯でＵＥ１００とのＷＬＡＮ通信を行う。一般的に、ＷＬＡＮ通信はアンライセンスドバンドで行われる。セルラ通信は、ライセンスドバンドで行われる。ＡＰ３００は、ルータ等を介してＥＰＣ２０に接続される。
【００３３】
ｅＮＢ２００及びＡＰ３００が個別のノードである場合に限らず、ｅＮＢ２００及びＡＰ３００が同一のノードとして一体化（Ｃｏｌｌｏｃａｔｅｄ）されていてもよい。セルラ通信及びＷＬＡＮ通信をサポートするセルラ・ＷＬＡＮ一体型のｅＮＢ２００（以下、「セルラ・ＷＬＡＮ一体型ｅＮＢ２００」という）の構成については後述する。或いは、ｅＮＢ２００及びＡＰ３００が直接的なインターフェイスを介して相互接続されていてもよい。
【００３４】
ＥＰＣ２０は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバをさらに含んでもよい。ＡＮＤＳＦサーバは、ＷＬＡＮ３０に関するＡＮＤＳＦ情報を管理する。ＡＮＤＳＦサーバは、ＷＬＡＮ３０に関するＡＮＤＳＦ情報をＵＥ１００に提供する。
【００３５】
次に、ＵＥ１００、ｅＮＢ２００、ＡＰ３００、ＥＩＲ５００及びＤＢ６００の構成を説明する。
【００３６】
図２は、ＵＥ１００のブロック図である。図２に示すように、ＵＥ１００は、アンテナ１０１及び１０２と、セルラ送受信機１１１と、ＷＬＡＮ送受信機１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を含む。メモリ１５０及びプロセッサ１６０は、制御部を構成する。ＵＥ１００は、ユーザインターフェイス１２０及びＧＮＳＳ受信機１３０を含まなくてもよい。また、ＵＥ１００は、アンテナ１０２及ＷＬＡＮ送受信機１１２を含まなくてもよい。また、メモリ１５０をプロセッサ１６０と一体化し、このセット（すなわち、チップセット）をプロセッサ１６０’としてもよい。
【００３７】
アンテナ１０１及びセルラ送受信機１１１は、セルラ無線信号の送受信に用いられる。セルラ送受信機１１１は、プロセッサ１６０が出力するベースバンド信号をセルラ無線信号に変換してアンテナ１０１から送信する。また、セルラ送受信機１１１は、アンテナ１０１が受信するセルラ無線信号をベースバンド信号に変換してプロセッサ１６０に出力する。
【００３８】
アンテナ１０２及びＷＬＡＮ送受信機１１２は、ＷＬＡＮ無線信号の送受信に用いられる。ＷＬＡＮ送受信機１１２は、プロセッサ１６０が出力するベースバンド信号をＷＬＡＮ無線信号に変換してアンテナ１０２から送信する。また、ＷＬＡＮ送受信機１１２は、アンテナ１０２が受信するＷＬＡＮ無線信号をベースバンド信号に変換してプロセッサ１６０に出力する。
【００３９】
ユーザインターフェイス１２０は、ＵＥ１００を所持するユーザとのインターフェイスであり、例えば、ディスプレイ、マイク、スピーカ、及び各種ボタン等を含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４０】
メモリ１５０は、プロセッサ１６０によって実行されるプログラムと、プロセッサ１６０による処理に使用される情報と、を記憶する。本実施形態において、メモリ１５０は、後述するＵＥ１００の機種識別子に関する情報を記憶する。なお、当該情報を記憶するメモリ１５０は、端末装置に装着されるＩＣカードであるＵＩＭ（Ｕｓｅｒ  Ｉｄｅｎｔｉｔｙ  Ｍｏｄｕｌｅ）内のメモリではなく、端末装置内のメモリである。当該情報は、ＵＩＭ内のメモリにも記憶されていてもよい。
【００４１】
プロセッサ１６０は、ベースバンド信号の変調・復調及び符号化・復号等を行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００４２】
図３は、ｅＮＢ２００のブロック図である。図３に示すように、ｅＮＢ２００は、アンテナ２０１と、セルラ送受信機２１１と、ネットワークインターフェイス２２０と、メモリ２３０と、プロセッサ２４０と、を含む。メモリ２３０及びプロセッサ２４０は、制御部を構成する。また、メモリ２３０をプロセッサ２４０と一体化し、このセット（すなわち、チップセット）をプロセッサとしてもよい。
【００４３】
アンテナ２０１及びセルラ送受信機２１１は、セルラ無線信号の送受信に用いられる。セルラ送受信機２１１は、プロセッサ２４０が出力するベースバンド信号をセルラ無線信号に変換してアンテナ２０１から送信する。また、セルラ送受信機２１１は、アンテナ２０１が受信するセルラ無線信号をベースバンド信号に変換してプロセッサ２４０に出力する。
【００４４】
ネットワークインターフェイス２２０は、Ｘ２インターフェイスを介して隣接ｅＮＢ２００と接続され、Ｓ１インターフェイスを介してＭＭＥ／Ｓ−ＧＷ４００と接続される。ネットワークインターフェイス２２０は、直接的なインターフェイスを介してＡＰ３００と接続されていてもよい。
【００４５】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号等を行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４６】
なお、ｅＮＢ２００がセルラ・ＷＬＡＮ一体型である場合、ｅＮＢ２００は、アンテナ２０２と、ＷＬＡＮ送受信機２１２と、をさらに含む。アンテナ２０２及びＷＬＡＮ送受信機２１２は、ＷＬＡＮ無線信号の送受信に用いられる。ＷＬＡＮ送受信機２１２は、プロセッサ２４０が出力するベースバンド信号をＷＬＡＮ無線信号に変換してアンテナ２０２から送信する。また、ＷＬＡＮ送受信機２１２は、アンテナ２０２が受信するＷＬＡＮ無線信号をベースバンド信号に変換してプロセッサ２４０に出力する。
【００４７】
図４は、ＡＰ３００のブロック図である。図４に示すように、ＡＰ３００は、アンテナ３０１と、ＷＬＡＮ通信部（ＷＬＡＮ送受信機）３１１と、ネットワークインターフェイス３２０と、メモリ３３０と、プロセッサ３４０と、を有する。メモリ３３０をプロセッサ３４０と一体化し、このセット（すなわち、チップセット）をプロセッサとしてもよい。
【００４８】
アンテナ３０１及びＷＬＡＮ通信部３１１は、ＷＬＡＮ無線信号の送受信に用いられる。ＷＬＡＮ通信部３１１は、プロセッサ３４０が出力するベースバンド信号をＷＬＡＮ無線信号に変換してアンテナ３０１から送信する。また、ＷＬＡＮ通信部３１１は、アンテナ３０１が受信するＷＬＡＮ無線信号をベースバンド信号に変換してプロセッサ３４０に出力する。
【００４９】
ネットワークインターフェイス３２０は、直接的なインターフェイスを介してｅＮＢ２００と接続される。
【００５０】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号等を行うベースバンドプロセッサと、メモリ３３０に記憶されるプログラムを実行して各種の処理を行うＣＰＵと、を有する。プロセッサ３４０は、後述する各種の処理を実行する。
【００５１】
図５は、ＥＩＲ５００のブロック図である。図５に示すように、ＥＩＲ５００は、ネットワークインターフェイス５２０と、メモリ５３０と、プロセッサ５４０と、を有する。メモリ５３０をプロセッサ５４０と一体化し、このセット（すなわち、チップセット）をプロセッサとしてもよい。
【００５２】
ネットワークインターフェイス５２０は、所定のインターフェイスを介してＭＭＥ４００と接続される。また、ネットワークインターフェイス５２０は、所定のインターフェイスを介してＤＢ６００と接続される。
【００５３】
メモリ５３０は、プロセッサ５４０によって実行されるプログラムと、プロセッサ５４０による処理に使用される情報と、を記憶する。プロセッサ５４０は、ベースバンド信号の変調・復調及び符号化・復号等を行うベースバンドプロセッサと、メモリ５３０に記憶されるプログラムを実行して各種の処理を行うＣＰＵと、を有する。プロセッサ５４０は、後述する各種の処理を実行する。
【００５４】
図６は、ＤＢ６００のブロック図である。図６に示すように、ＤＢ６００は、ネットワークインターフェイス６２０と、メモリ６３０と、プロセッサ６４０と、を有する。メモリ６３０をプロセッサ６４０と一体化し、このセット（すなわち、チップセット）をプロセッサとしてもよい。
【００５５】
ネットワークインターフェイス６２０は、所定のインターフェイスを介してＥＩＲ５００と接続される。
【００５６】
メモリ６３０は、プロセッサ６４０によって実行されるプログラムと、プロセッサ６４０による処理に使用される情報と、を記憶する。本実施形態において、メモリ６３０は、装置情報を記憶する（図７参照）。装置情報は、端末装置の機種を示す機種識別子（ＴＡＣ：Ｔｙｐｅ  Ａｌｌｏｃａｔｉｏｎ  Ｃｏｄｅ）に関する情報と、ＮＷオペレータによる使用認証を受けた端末装置であることを示す使用認証情報（ＮＷ  Ｏｐｅｒａｔｏｒ  ｌｉｃｅｎｓｅ（Ｅｑｕｉｐｍｅｎｔ  ｕｓｅ  ａｕｔｈｅｎｔｉｃａｔｉｏｎ）：ＯＫ）とを関連付けた情報である。装置情報は、機種識別子に関する情報とＮＷオペレータによる使用認証を受けていない端末装置であることを示す使用不認証情報（ＮＷ  Ｏｐｅｒａｔｏｒ  ｌｉｃｅｎｓｅ（Ｅｑｕｉｐｍｅｎｔ  ｕｓｅ  ａｕｔｈｅｎｔｉｃａｔｉｏｎ）：ＮＧ）とを関連付けた情報を含んでもよい。
【００５７】
機種識別子に関する情報は、機種識別子（ＴＡＣ）自体であってもよい。或いは、当該情報は、機種識別子により一部が構成される情報であってもよい。例えば、当該情報は、ＴＡＣにより一部が構成されるＩＭＥＩであってもよい。なお、ＩＭＥＩは、８桁のＴＡＣと、端末装置に固有に割り当てられたＳＮＲ（Ｓｅｒｉａｌ  ＮｕｍｂｅＲ）と、１桁のスペアと、によって構成される識別子である。或いは、当該情報は、ＩＭＥＩからスペアを除いた情報とソフトウェアのバージョンとによって構成される識別子であるＩＭＥＩＳＶ（ＩＭＥＩ  Ｓｏｆｔｗａｒｅ  Ｖｅｒｓｉｏｎ）であってもよい。
【００５８】
使用認証情報は、ＮＷオペレータによる使用認証を受けた端末装置であることを示す情報である。例えば、端末装置は、ＮＷオペレータが提供する周波数（キャリア）に適合した機器である場合に使用認証を受ける。すなわち、端末装置は、当該周波数において通信可能である場合に使用認証が与えられる。なお、ＮＷオペレータは、周波数だけでなくその他の項目においても端末装置がＮＷオペレータの規約を遵守できる場合に使用認証を与えてもよい。
【００５９】
装置情報は、機種識別子に関する情報と使用認証を受けていない端末装置であることを示す情報とが関連付けられた情報を含んでもよい。図７の例では、ＩＭＥＩ（ＴＡＣ）がＡである端末装置は、使用認証を受けている一方、ＩＭＥＩ（ＴＡＣ）がＢである端末装置は、使用認証を受けていない。
【００６０】
装置情報は、ＵＥ１００（端末装置）の更新に応じて、更新されてもよい。例えば、使用認証に関する情報（例えば、ＮＷオペレータによる使用認証を受けていないことを示す情報）は、ＵＥ１００（端末装置）のドライバ回路（Ｄｒｉｖｅｒ）及び／又はオペレーティングシステム（ＯＳ）であるソフトウェアが更新されることによって更新されてもよい。或いは、ＩＥＥＥ仕様を新たに認可した国の情報が認証関連情報に追加されることによって、装置情報（認証関連情報）が更新されてもよい。なお、ＮＷオペレータ又は端末装置を取り扱うベンダーによって装置情報が更新可能であってもよい。
【００６１】
プロセッサ６４０は、ベースバンド信号の変調・復調及び符号化・復号等を行うベースバンドプロセッサと、メモリ６３０に記憶されるプログラムを実行して各種の処理を行うＣＰＵと、を有する。プロセッサ６４０は、後述する各種の処理を実行する。
【００６２】
なお、ＬＴＥシステムでは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００６３】
無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。ＵＥ１００に割り当てられる無線リソース（時間・周波数リソース）のうち、周波数リソースはリソースブロックにより特定でき、時間リソースはサブフレーム（又はスロット）により特定できる。
【００６４】
（実施形態に係る動作）
次に、実施形態に係る動作について図８を用いて説明する。図８は、第１実施形態に係る動作を説明するためのシーケンス図である。
【００６５】
ステップＳ１０において、ＭＭＥ４００は、識別子要求（Ｉｄｅｎｔｉｔｙ  Ｒｅｑｕｅｓｔ）をＵＥ１００に通知する。ＭＭＥ４００は、ＵＥ１００がアタッチ手順を開始したことに応じて、識別子要求をＵＥ１００に通知してもよい。ＵＥ１００は、識別子要求を受信する。識別子要求は、ＵＥ１００の装置識別子を要求するためのものである。
【００６６】
ステップＳ２０において、ＵＥ１００は、識別子要求に対する応答（Ｉｄｅｎｔｉｔｙ  Ｒｅｓｐｏｎｓｅ）をＭＭＥ４００に通知する。ＵＥ１００は、ＮＡＳメッセージによって応答をＭＭＥ４００に通知できる。本実施形態において、ＵＥ１００は、ＩＭＥＩを応答に含める。ＭＭＥ４００は、応答を受信する。
【００６７】
ステップＳ３０において、ＭＭＥ４００は、装置識別子を照合するために照合情報（ＭＥ  Ｉｄｅｎｔｉｆｙ  Ｃｈｅｃｋ）をＥＩＲ５００に通知する。照合情報は、装置識別子（ＩＭＥＩ）を含む。
【００６８】
ＥＩＲ５００は、照合情報の受信によって装置識別子を受信する。ＥＩＲ５００は、照合情報の受信に応じて、照合情報に含まれる装置識別子（の状態）を照合する。例えば、ＥＩＲ５００は、装置識別子が示す端末装置が盗難されたものでないかを照合（ｃｈｅｃｋ）する。また、ＥＩＲ５００は、装置識別子が示す端末装置が欠陥（ｆａｕｌｔ）を有さないことを確認（ｖｅｒｉｆｙ）してもよい。
【００６９】
ステップＳ４０において、ＥＩＲ５００は、ＮＷオペレータがＵＥ１００に通信サービスを提供するか否かを判断するための判断情報をＤＢ６００に要求する。ＥＩＲ５００は、照合情報の受信に応じて、判断情報をＤＢ６００に要求してもよい。或いは、ＥＩＲ５００は、装置識別子が示す端末装置が正当な端末である場合、すなわち、当該端末装置が不当な端末装置（例えば、盗まれた端末）でない場合、判断情報をＤＢ６００に要求してもよい。当該要求は、ＭＭＥから受信した装置識別子（ＩＭＥＩ）を含む。ＤＢ６００は、当該要求の受信によって装置識別子を受信する。
【００７０】
ステップＳ５０において、当該要求を受信したＤＢ６００は、要求に対する応答をＥＩＲ５００に通知する。ＤＢ６００は、要求の受信に応じて、要求に含まれる装置識別子と、ＤＢ６００に記憶された装置情報とに基づいて、判断情報を要求に対する応答に含めて、判断情報をＥＩＲ５００に通知する。
【００７１】
具体的には、ＤＢ６００は、要求に含まれる装置識別子に関係付けられた使用認証情報を判断情報に含める。ＤＢ６００は、当該装置識別子によって示される端末装置がＮＷオペレータによる使用認証を受けていない（ＮＧ）場合、或いは、当該装置識別子を記憶していない場合、その旨を判断情報に含めてもよい。
【００７２】
ＥＩＲ５００は、ＤＢ６００から通知された応答を受信することによって、装置識別子に対応する判断情報を取得する。
【００７３】
ステップＳ６０において、当該判断情報を受信したＥＩＲ５００は、照合情報に対する確認応答（ＭＥ  Ｉｄｅｎｔｉｔｙ  Ｃｈｅｃｋ  Ａｃｋ）をＭＭＥ４００に通知する。確認応答は、装置識別子（の状態）を照合した結果を含む。
【００７４】
ＥＩＲ５００は、ＵＥ１００に通信サービスを提供するか否かを判断するための情報として、照合結果を確認応答に含めることができる。ＥＩＲ５００は、ＵＥ１００の端末装置が使用認証を受けていない場合、ＵＥ１００に通信サービスを提供させない結果となる照合結果を確認応答に含めることができる。例えば、ＥＩＲ５００は、装置識別子と不正な端末装置であることを示す情報とを関連付けて記憶している場合、ＵＥ１００の端末装置が不正な端末装置でない場合であっても、不正な端末であることを示す照合結果を応答に含めてもよい。或いは、ＥＩＲ５００は、ＵＥ１００の端末装置が使用認証を受けていない場合、例えば、ＲＡＴが許可していないことを示す照合結果を確認応答に含めてもよい。
【００７５】
或いは、ＥＩＲ５００は、照合結果とは別に、確認応答にＤＢ６００から受信した判断情報（使用認証情報）を含めてもよい。或いは、ＥＩＲ５００は、判断情報に基づいて、ＵＥ１００が使用認証を受けているか否かを判断し、照合結果とは別に、判断結果を確認応答に含めてもよい。或いは、ＥＩＲ５００は、判断結果に基づいて、照合結果とは別に、ＵＥ１００に通信サービスを提供するか否かを示す情報を確認応答に含めてもよい。
【００７６】
確認応答を受信したＭＭＥ４００は、確認応答に基づいて、ＵＥ１００に通信サービスを提供するか否かを判断する。ＭＭＥ４００は、ＵＥ１００の端末装置が不正な端末装置でないことを示す照合結果であっても、ＵＥ１００が使用認証を受けていない場合、ＵＥ１００に通信サービスを提供しないと判断する。この場合、ＭＭＥ４００は、ＵＥ１００からのアクセスを拒否するための動作を開始する。
【００７７】
一方、ＭＭＥ４００は、ＵＥ１００が使用認証を受けている場合（且つ、照合結果が良好である場合）、ＵＥ１００に通信サービスを提供するための動作を開始する。例えば、ＭＭＥ４００は、ＵＥ１００に対するアタッチ手順を継続する。
【００７８】
以上のように、ＤＢ６００は、装置識別子と装置情報とに基づいて、ＵＥ１００に通信サービスを提供するか否かを判断するための判断情報をＥＩＲ５００に通知できる。また、ＥＩＲ５００は、装置識別子とＤＢ６００から通知された判断情報（使用認証情報）とに基づいて、ＵＥ１００に通信サービスを提供するか否かを判断するための判断情報をＭＭＥ４００に通知できる。これにより、ＵＥ１００がＮＷオペレータによる使用認証を受けていないにもかかわらず、ＮＷオペレータがＵＥ１００に対して通信サービスを提供することを抑制できる。従って、ＮＷオペレータによる使用認証を受けていない端末装置（例えば、ＳＩＭフリー端末）に対して通信サービスを制限可能である。
【００７９】
なお、以下の変更例にて説明するように、端末装置が、特定の無線アクセス技術（ＲＡＴ）を用いた送信に関して国の認証を受けている正当な端末装置であったとしても、ＮＷオペレータによる使用認証を受けていない端末装置に対して通信サービスを制限可能である。
【００８０】
（変更例）
次に、実施形態の変更例に係る動作について図９から図１１を用いて説明する。図９は、装置情報の一例を説明するための図である。図１０は、セルラ・ＷＬＡＮアグリゲーションの基本動作を示す図である。図１１は、実施形態の変更例に係る動作を説明するためのシーケンス図である。
【００８１】
上述した実施形態では、ＤＢ６００が装置情報を記憶するケースを説明した。本変更例では、ＥＩＲ５００が装置情報を記憶するケースを説明する。また、本変更例では、装置情報が認証関連情報を含む一例も説明する。
【００８２】
本実施形態において、認証関連情報は、ＷＬＡＮ送受信機１１２による送信に関してＵＥ１００（端末装置）が法令で認証された国に関する情報である。詳細を以下に示す。
【００８３】
ＵＥ１００が特定の無線アクセス技術（ＲＡＴ）を用いた送信（例えば、ＷＬＡＮ通信）を行うためには、端末装置が法令（電波法）で定められた基準を満たす必要がある。法令は各国で定められており、端末装置は、各国の法令の基準を満たすことによって使用許可（認証）を受ける。ＵＥ１００は、認証国で特定の無線アクセス技術を用いた送信を合法的に行うことができる。
【００８４】
一般的に、端末装置を取り扱うベンダーが、市場にて販売される前の端末装置に対して、ＮＷオペレータがサービスを提供する国における認証を取得している。従って、法令を遵守した端末装置が販売される。
【００８５】
しかしながら、ＵＩＭ（Ｕｓｅｒ  Ｉｄｅｎｔｉｔｙ  Ｍｏｄｕｌｅ）の制限が解除されている端末装置（いわゆる、ＳＩＭフリー端末）は、当初サービスを提供すると想定されていたＮＷオペレータと異なるＮＷオペレータが、サービスを提供する可能性がある。
【００８６】
ここで、ＬＴＥでは、ＵＥ１００のデータをセルラ通信（ＬＴＥ通信）及びＷＬＡＮ通信を併用して送受信する技術であるセルラ・ＷＬＡＮアグリゲーションの提案がなされている。セルラ・ＷＬＡＮアグリゲーションでは、ｅＮＢ２００が、ＷＬＡＮ通信の設定に関するメッセージをＵＥ１００に送信し、ＵＥ１００が、ｅＮＢ２００から受信した当該メッセージに基づいて設定を行った後、ＷＬＡＮ送受信機１１２によるＷＬＡＮ通信を開始することが考えられる。この場合において、ＵＥ１００（端末装置）がＷＬＡＮ送受信機１１２による送信に関して認証されない国に存在する場合、ＷＬＡＮ送受信機１１２によるＵＥ１００の送信行為は違法である。
【００８７】
従って、ネットワーク側で、法令で認証（使用許可）を受けていないＵＥ１００（端末装置）の違法使用を抑制するために、認証関連情報が用いられる。
【００８８】
なお、ｅＮＢ２００が、ＵＥ１００（端末装置）の違法使用を助長する行為として、例えば、以下の内容の設定メッセージ（指示）を当該ＵＥ１００に送信するケースが該当する。
【００８９】
・ＵＥ１００が認証を受けていないＲＡＴ（ＷＬＡＮ）を用いた送信の指示
・ＵＥ１００が認証を受けていないＲＡＴを用いた通信を行う通信部（ＷＬＡＮ送受信機１１２）をオフからオンへと切り替えさせる指示
【００９０】
図９に示すように、機種識別子に関する情報は、使用認証情報だけでなく、認証関連情報（Ｒｅgｕｌａｔｉｏｎ）に関連付けられている。図９において、ＩＭＥＩ（ＴＡＣ）がＡである端末装置は、日本（ＪＰ）、アメリカ合衆国・カナダ（ＵＳＡ／Ｃａｎａｄａ）、欧州連合（ＥＵ）において、ＷＬＡＮ送受信機１１２による送信が認証されている。一方、ＩＭＥＩ（ＴＡＣ）がＢである端末装置は、日本（ＪＰ）、アメリカ合衆国・カナダ（ＵＳＡ／Ｃａｎａｄａ）において、ＷＬＡＮ送受信機１１２による送信が認証されている。当該端末装置は、欧州連合（ＥＵ）において、認証されていない。
【００９１】
なお、セルラ・ＷＬＡＮアグリゲーションの基本動作について図１０を用いて説明する。図１０は、セルラ・ＷＬＡＮアグリゲーションの基本動作を示す図である。
【００９２】
セルラ・ＷＬＡＮアグリゲーションは、ＵＥ１００のデータ（トラフィック）をセルラ通信及びＷＬＡＮ通信を併用して送受信する通信方式である。具体的には、セルラ・ＷＬＡＮアグリゲーションでは、同一の又は異なるデータベアラに属するトラフィック（ユーザデータ）をセルラ通信及びＷＬＡＮ通信を併用して送受信する。
【００９３】
図１０において、ＵＥ１００とＳ−ＧＷ５００（ＥＰＣ２０）との間には、ＡＰ３００を介さずにｅＮＢ２００を介するデータベアラ♯１（第１のデータベアラ）と、ＡＰ３００及びｅＮＢ２００を介するデータベアラ♯２（第２のデータベアラ）と、が確立されている。なお、セルラ・ＷＬＡＮアグリゲーションが実行されている場合、データベアラ♯２のみが確立されていてもよいし、データベアラ♯１とデータベアラ♯２との両方が確立されていてもよい。
【００９４】
データベアラ♯１は、通常のセルラ通信用のデータベアラである。一方、データベアラ♯２は、セルラ・ＷＬＡＮアグリゲーション用のデータベアラである。データベアラ♯２は、ｅＮＢ２００（例えば、ＰＤＣＰ層）において分割（ｓｐｌｉｔ）される。分割された一方（データベアラ♯２−１）は、ＡＰ３００を介さずにＵＥ１００で終端しており、分割された他方（データベアラ♯２−２）は、ＡＰ３００を介してＵＥ１００で終端する。なお、データベアラ♯２−２は、ＡＰ３００だけでなく（複数の）ＡＰ３００を収容するＷＬＡＮ  ＧＷ（ゲートウェイ装置）及び介してＵＥ１００で終端してもよい。
【００９５】
ＵＥ１００は、セルラ・ＷＬＡＮアグリゲーションを実行している場合、少なくともデータベアラ♯２を用いてデータの送受信を行う。
【００９６】
具体的には、セルラ・ＷＬＡＮアグリゲーションが実行されている場合、下りリンクにおいて、ｅＮＢ２００は、データベアラ♯２に属するデータをセルラ通信により送信するデータ（セルラ側データ）とＷＬＡＮ通信により送信するデータ（ＷＬＡＮ側データ）と分ける。ｅＮＢ２００は、セルラ側データを、データベアラ♯２−１によってセルラ通信によりＵＥ１００に送信する。一方、ｅＮＢ２００は、ＷＬＡＮ側データを、直接的な通信路を用いて、ＡＰ３００に送信する。ＡＰ３００は、ｅＮＢ２００から受信したＷＬＡＮ側データを、データベアラ♯２−２によってＷＬＡＮ通信によりＵＥ１００に送信する。
【００９７】
一方、上りリンクにおいて、ＵＥ１００は、データベアラ♯２に属するデータをセルラ通信により送信するデータ（セルラ側データ）とＷＬＡＮ通信により送信するデータ（ＷＬＡＮ側データ）とに分ける。ＵＥ１００は、セルラ側データを、データベアラ♯２−１によってセルラ通信によりｅＮＢ２００に送信する。一方、ＵＥ１００は、ＷＬＡＮ側データを、データベアラ♯２−２によってＷＬＡＮ通信によりＡＰ３００に送信する。ＡＰ３００は、ＵＥ１００から受信したＷＬＡＮ側データを、直接的な通信路を用いて、ｅＮＢ２００に送信する。ｅＮＢ２００は、ＵＥ１００から受信したセルラ側データとＡＰ３００から受信したＷＬＡＮ側データとを結合（再構築）してＳ−ＧＷ５００に送信する。
【００９８】
なお、セルラ・ＷＬＡＮアグリゲーションにおいて、データベアラ♯２に属する全てのデータがセルラ通信により送受信されてもよいし、データベアラ♯２に属する全てのデータがＷＬＡＮ通信により送受信されてもよい。
【００９９】
また、ｅＮＢ２００とＡＰ３００とが別であるケースを例に挙げて説明したが、ｅＮＢ２００が、セルラ・ＷＬＡＮ一体型ｅＮＢ２００であってもよい。
【０１００】
次に、変更例に係る動作について説明する。
【０１０１】
図１１において、ステップＳ１１０からＳ１３０は、ステップＳ１０からＳ３０に対応する。
【０１０２】
ここで、ステップＳ１３０において、照合情報をＭＭＥ４００から受信したＥＩＲ５００は、メモリ５３０に記憶された装置情報に基づいて、照合情報に含まれる装置識別子（の状態）を照合する。
【０１０３】
本変更例では、図１０に示すように、機種識別子に関する情報は、使用認証情報だけでなく、認証関連情報にも関連付けられている。従って、ＥＩＲ５００は、ステップＳ１４０においてＭＭＥ４００に通知する応答に認証関連情報を含めてもよい。或いは、ＥＩＲ５００は、ＵＥ１００（端末装置）が位置する国が分かる場合には、当該国の認証関連情報のみを応答に含めてもよい。なお、ＥＩＲ５００は、ＵＥ１００（端末装置）が位置する国に関する情報を照合情報と共に受信することによって、ＵＥ１００（端末装置）が位置する国が分かる。或いは、ＥＩＲ５００は、ＭＭＥ４００にアクセス可能なＵＥ１００が位置する国が決まっている場合、当該ＭＭＥ４００からの照合情報に含まれる装置識別子が示すＵＥ１００は、所定の国に位置すると判断してもよい。
【０１０４】
ステップＳ１４０は、ステップＳ６０に対応する。また、ステップＳ１４０において、ＭＭＥ４００は、確認応答に認証関連情報が含まれる場合、ＵＥ１００に対して、ＷＬＡＮ通信の設定（例えば、ＷＬＡＮアグリゲーションの設定）に関するメッセージを通知可能か否かを判断してもよい。ＵＥ１００が位置する国において、ＵＥ１００がＷＬＡＮ通信に関して認証されている場合、ＭＭＥ４００は、メッセージを通知可能と判断する。ＭＭＥ４００は、ＵＥ１００が在圏するセルを管理するｅＮＢ２００にその旨を通知する。一方、ＵＥ１００が位置する国において、ＵＥ１００がＷＬＡＮ通信に関して認証されていない場合、ＭＭＥ４００は、メッセージを通知不能と判断する。ＭＭＥ４００は、ＵＥ１００が在圏するセルを管理するｅＮＢ２００にその旨を通知する。ｅＮＢ２００は、ＭＭＥ４００からの通知に応じて、ＷＬＡＮ通信の設定に関するメッセージをＵＥ１００に送信するか否かを判断する。なお、ｅＮＢ２００は、メッセージを通知不能であるとの通知をＭＭＥ４００から受信した場合、ＷＬＡＮ送受信機１１２による送信ではなく受信のみの設定に関するメッセージをＵＥ１００に送信してもよい。
【０１０５】
以上のように、ＥＩＲ５００が、装置情報を記憶していてもよい。また、ＥＩＲ５００は、認証関連情報を確認応答に含めてもよい。これにより、ＭＭＥ４００は、ＵＥ１００がＷＬＡＮ通信に関して認証されているか否かを判断できる。その結果、ネットワーク側で、法令で認証（使用許可）を受けていないＵＥ１００（端末装置）の違法使用を抑制できる。
【０１０６】
［その他の実施形態］
上述した実施形態では、ＭＭＥ４００は、識別子要求をＵＥ１００に通知したが、これに限られない。ＭＭＥ４００は、機種識別子に関する情報をＵＥ１００に要求してもよい。従って、ＵＥ１００は、機種識別子（ＴＡＣ）をＭＭＥ４００に通知してもよい。また、ＵＥ１００は、ＭＭＥ４００からの要求がない場合であっても、機種識別子に関する情報をＭＭＥ４００に通知してもよい。例えば、ＵＥ１００は、アタッチ処理を開始する場合に、ＭＭＥ４００に通知してもよい。
【０１０７】
また、上述した実施形態では、ＥＩＲ５００が、ＤＢ６００にアクセスしていたがこれに限られない。例えば、加入者情報を管理する管理機能及び呼処理機能を有するＨＬＲ（Ｈｏｍｅ  Ｌｏｃａｔｉｏｎ  Ｒｅｇｉｓｔｅｒ）が、ＤＢ６００にアクセスしてもよい。或いは、ＨＬＲが装置情報を記憶していてもよい。また、ＨＬＲだけでなく、他のネットワーク装置（ＡＮＤＳＦサーバ、ベンダーが管理するサーバなど）がＤＢアクセスしてもよいし、装置情報を記憶していてもよい。
【０１０８】
また、上述した実施形態において、ＤＢ６００は、変更例のように、認証関連情報を記憶していてもよい。なお、ＥＩＲ５００は、装置情報を記憶していても、認証関連情報を記憶していなくてもよい。
【０１０９】
また、上述した実施形態において、装置情報は、機種識別子に関する情報と１つのＮＷオペレータによる使用認証を受けたか否かの情報とを関連付ける情報であってもよいし、機種識別子に関する情報と複数のＮＷオペレータによる使用認証を受けたか否かの情報とを関連付ける情報であってもよい。例えば、端末装置が、第１のＮＷオペレータによる使用認証を受けているが、第２のＮＷオペレータによる使用認証を受けていない場合、装置情報は、機種識別子に関する情報とその情報とを関連付けた情報であってもよい。
【０１１０】
また、上述した実施形態の変更例において、セルラ・ＷＬＡＮアグリゲーションを例に挙げて説明したが、これに限られない。３ＧＰＰのリリース１２以降において、サポートされているセルラ・ＷＬＡＮ無線インターワーキング技術に関する設定をＵＥ１００に行う際に、認証関連情報が用いられてもよい。
【０１１１】
セルラ・ＷＬＡＮ無線インターワーキング技術によれば、ＲＲＣコネクティッド状態又はＲＲＣアイドル状態のＵＥ１００は、Ｅ−ＵＴＲＡＮ１０とＷＬＡＮ３０との間で双方向のトラフィック切り替え（ネットワークセレクション及びトラフィック・ステアリング）を行う。当該トラフィック切り替えは、Ｅ−ＵＴＲＡＮ１０の補助により、ＵＥ１００主導（ＵＥ  ｂａｓｅｄ）で行われる。当該トラフィック切り替えは、ＡＰＮ（Ａｃｃｅｓｓ  Ｐｏｉｎｔ  Ｎａｍｅ）単位で行われる。
【０１１２】
ｅＮＢ２００（又はＭＭＥ４００）は、判断結果に基づいて、切り替え制御に用いられる補助情報をＵＥ１００に通知するか否かを決定してもよい。或いは、ｅＮＢ２００は、補助情報を更新してもよい。例えば、ｅＮＢ２００は、ＷＬＡＮ送受信機１１２による通信の設定が不能である場合、ＷＬＡＮ３０へのトラフィック切り替えが不能な補助情報を設定情報としてＵＥ１００に通知してもよい。
【０１１３】
なお、補助情報は、Ｅ−ＵＴＲＡＮ信号強度（受信電力）閾値及び品質閾値、ＷＬＡＮチャネル使用率閾値、ＷＬＡＮバックホールデータレート閾値、ＷＬＡＮ信号強度（受信電力）閾値及び品質閾値等を含む。補助情報は、ＵＥ主導型の切り替え制御の対象となるＷＬＡＮ識別子を含んでもよい。ＷＬＡＮ識別子は、ＳＳＩＤ、ＢＳＳＩＤ、ＨＥＳＳＩＤ等である。補助情報は、閾値（判定条件）が満たされるべき期間を指定するパラメータを含んでもよい。
【０１１４】
なお、セルラ・ＷＬＡＮ無線インターワーキング技術は、ＵＥ主導でＷＬＡＮ３０へトラフィック切り替えを行う技術である。従って、ＮＷ７００は、端末装置の違法使用に該当しないとして、上述した判断を行わずに、セルラ・ＷＬＡＮ無線インターワーキングに関する設定情報をＵＥ１００に通知してもよい。
【０１１５】
また、ＷＬＡＮ送受信機１１２による通信に関する設定は、３ＧＰＰのリリース１２以降において提案されているＬＡＡ（ＬＡＡ：Ｌｉｃｅｎｓｅｄ−Ａｓｓｉｔｅｄ  Ａｃｃｅｓｓ）技術に関するものであってもよい。
【０１１６】
ＬＡＡでは、ＵＥ１００は、ライセンスド帯域で運用されるセル（以下、ライセンスドセル）とアンライセンスド帯域で運用されるセル（以下、アンライセンスドセル）と通信を行う。ライセンスドセルは、ＰＣｅｌｌとして使用され、アンライセンスドセルは、ＳＣｅｌｌ（又はＰＳＣｅｌｌ）として使用されてもよい。ＵＥ１００がライセンスドセル及びアンライセンスドセルと通信を行う場合、当該ライセンスドセル及び当該アンライセンスドセルは、１つのノード（例えば、ｅＮＢ２００）によって管理されていてもよい。なお、当該ライセンスドセル及び当該アンライセンスドセルは、１つのｅＮＢ２００によって管理（制御）されている場合、アンライセンスドセル（及びライセンスドセル）は、無線送受信機を有するＲＲＨ（Ｒｅｍｏｔｅ  Ｒａｄｉｏ  Ｈｅａｄ）によって形成されてもよい。或いは、ライセンスセルは、ｅＮＢ２００に管理され、アンライセンスドセルは、当該ｅＮＢ２００とは異なる無線通信装置に管理されていてもよい。ｅＮＢ２００と当該無線通信装置とは、所定のインターフェイス（Ｘ２インターフェイス又はＳ１インターフェイス）を介して後述する各種情報のやり取りを行うことができる。ライセンスセルを管理するｅＮＢ２００は、ＵＥ１００から取得した情報を無線通信装置に通知してもよいし、無線通信装置から取得した情報をＵＥ１００に通知してもよい。
【０１１７】
アンライセンスド帯域においては、ＬＴＥシステムとは異なるシステム（無線ＬＡＮ等）又は他のオペレータのＬＴＥシステムとの干渉を回避するために、無線信号を送信する前にＣＣＡ（Ｃｌｅａｒ  ｃｈａｎｎｅｌ  Ａｓｓｅｓｓｍｅｎｔ）を実行すること（いわゆる、ＬＢＴ（Ｌｉｓｔｅｎ  Ｂｅｆｏｒe  Ｔaｌｋ））が要求されている。具体的には、ＣＣＡでは、ｅＮＢ２００は、アンライセンスド帯域内の周波数（キャリア）が空いているか否かを確認するために、干渉電力を測定する。ｅＮＢ２００は、干渉電力の測定結果に基づいて、空きチャネルであることが確認された周波数（キャリア）に含まれる無線リソースをＵＥ１００に割り当てる（スケジューリング）。ｅＮＢ２００は、アンライセンスドセルを介して、アンライセンスドセルにおけるスケジューリングを行う。或いは、ｅＮＢ２００は、ライセンスドセルを介して、アンライセンスドセルにおけるスケジューリングを行ってもよい（すなわち、クロスキャリアスケジューリング）。
【０１１８】
ｅＮＢ２００（又はＭＭＥ４００）は、判断結果に基づいて、ＬＡＡを実行するための設定情報をＵＥ１００に通知するか否かを決定してもよい。
【０１１９】
また、上述した実施形態では、各国の法令でＵＥ１００を認証するケースを説明したが、これに限られない。例えば、地域（複数の国（例えば、欧州連合）、州など）における法令でＵＥ１００を認証する場合に、上述にて説明した動作と同様の動作が実行されてもよいことは勿論である。従って、上述した説明において、「国」を「地域」に置き換えることが可能である。
【０１２０】
上述した各実施形態では、セルラ通信システムの一例としてＬＴＥシステムを説明したが、ＬＴＥシステムに限定されるものではなく、ＬＴＥシステム以外のシステムに本発明を適用してもよい。具体的には、上述した実施形態では、ＷＬＡＮを用いた送信にＵＥ１００（端末装置）の認証が必要なケースを説明したが、これに限られない。他のＲＡＴを用いた送信にＵＥ１００の認証が必要である場合に、上述にて説明した動作と同様の動作が実行されてもよい。
【０１２１】
［相互参照］
日本国特許出願第２０１５−０３５６９１号（２０１５年２月２５日）の全内容が参照により本願明細書に組み込まれている。
【産業上の利用可能性】
【０１２２】
本発明は、通信分野において有用である。
【図１】
2016136648.tif 000003
【図２】
2016136648.tif 000004
【図３】
2016136648.tif 000005
【図４】
2016136648.tif 000006
【図５】
2016136648.tif 000007
【図６】
2016136648.tif 000008
【図７】
2016136648.tif 000009
【図８】
2016136648.tif 000010
【図９】
2016136648.tif 000011
【図１０】
2016136648.tif 000012
【図１１】
2016136648.tif 000013
【国際調査報告】
2016136648.tif 000014
2016136648.tif 000015
2016136648.tif 000016